(57)【要約】スクランブリング／ＯＶＳＦ符号が、支配的干渉源による妨害効果を克服するためにＴＤ−ＣＤＭＡスロット用いて変更される。干渉が検出され、送信タイムスロット内に、スクランブリング符号系列が変更され、ユーザデバイスに割り当てられたウォルシュ符号を乗算するために使用される。
2009514458.tif 000002
【特許請求の範囲】
【請求項１】
無線通信環境内でユーザデバイス用の無線フレームタイムスロット内にスクランブリング符号を変更する方法であって、
前記ユーザデバイスの干渉を検出すること、および
前記ユーザデバイスに割り当てられたウォルシュ符号を乗算するために使用されるスクランブルリング符号系列を送信タイムスロット内に少なくとも１度変更することを備える方法。
【請求項２】
前記タイムスロット内に少なくとも２つの異なるスクランブリング符号系列セットを使用することをさらに備える、請求項１に記載の方法。
【請求項３】
前記タイムスロット内に信号を送信するための有効符号を生成するために、前記ユーザデバイスに割り当てられた少なくとも１つのウォルシュ符号に第１のスクランブリング符号系列を乗じることをさらに備える、請求項２に記載の方法。
【請求項４】
前記タイムスロット内の送信に使用される前記有効符号を変更するために、前記タイムスロット内の後続の送信時間において、前記ウォルシュ符号に少なくとも１つの第２のスクランブリング符号系列を乗じることをさらに備える、請求項３に記載の方法。
【請求項５】
２５６０チップタイムスロットを使用することをさらに備える、請求項１に記載の方法。
【請求項６】
前記タイムスロットを１６０個の１６チップセグメントに分割することをさらに備える、請求項１に記載の方法。
【請求項７】
前記１６０個の１６のチップセグメントをスクランブリングするために、２個から１６０個のそれぞれ異なるスクランブリング符号系列セットを使用することをさらに備える、請求項６に記載の方法。
【請求項８】
検出された干渉が、スクランブリング符号変更によって予め定めた許容可能な干渉レベル未満になったかどうか判定することをさらに備える、請求項１に記載の方法。
【請求項９】
干渉が、前記予め定めた許容可能なしきい値レベルを依然として超えていると判定すると、前記タイムスロット内のスクランブリング符号変更の頻度を増加させることをさらに備える、請求項８に記載の方法。
【請求項１０】
無線通信環境内の有効符号ホッピングを容易にするユーザデバイス内の装置であって、
スクランブリング符号変更パターンを備える情報を格納するメモリと、
前記メモリに結合されており、送信フレームの間、タイムスロット当たり少なくとも１度、ユーザデバイスへのスクランブリング符号割当てを変更するプロセッサとを備える装置。
【請求項１１】
干渉レベルが予め定めたしきい値レベルをいつ超えるかを判定する干渉監視コンポーネントをさらに備える、請求項１０に記載の装置。
【請求項１２】
送信イベントの間、前記タイムスロット内のセグメントへの割当てのスクランブリング符号系列変更パターンを生成する再利用パターンジュネレータをさらに備える、請求項１１に記載の装置。
【請求項１３】
前記プロセッサが、前記干渉監視コンポーネントから受信された情報に少なくとも一部基づいて前記ユーザデバイス用のタイムスロットに適用する適切なスクランブリング符号再利用パターンを判定する、請求項１２に記載の装置。
【請求項１４】
前記再利用パターンジュネレータが、前記タイムスロット内のセグメントへの割当てのための２個から１６０個のスクランブリング符号系列セットを備えるスクランブリング符号再利用パターンを生成する、請求項１３に記載の装置。
【請求項１５】
前記タイムスロットが、無線フレーム内の１５個のタイムスロットのうちの１つであり、１６０個の１６チップ長のセグメントを備える、請求項１０に記載の装置。
【請求項１６】
前記メモリが、ユーザデバイス識別、ウォルシュ符号割当て、スクランブリング符号割当て、検出された干渉イベントおよびスクランブリング符号再利用パターンに関する情報を備える１つまたは複数のルックアップテーブルを格納する、請求項１０に記載の装置。
【請求項１７】
無線通信環境内でタイムスロット内のスクランブリング符号変更を容易にするユーザデバイス内の装置であって、
別のセクタ内の類似の符号割当てを有する支配的なユーザデバイスによって引き起こされた前記ユーザデバイス上の干渉を検出するための手段と、
通信タイムスロットの間、前記ユーザデバイスに割り当てられたウォルシュ符号を乗算するために使用されるスクランブリング符号系列を変更するための手段とを備える装置。
【請求項１８】
スクランブリング符号系列を変更するための前記手段が、タイムスロット当たり少なくとも１度、前記ユーザデバイスに割り当てられた前記スクランブリング符号系列を変更するために、少なくとも２つの異なるスクランブリング符号系列を使用する、請求項１７に記載の装置。
【請求項１９】
スクランブリング符号系列変更が、予め定めたしきい値レベル未満に干渉を減少させたかか判定するための手段をさらに備える、請求項１８に記載の装置。
【請求項２０】
前記干渉が前記予め定めたしきい値レベル未満に減少していない場合は、同じまたは後続のタイムスロット内にスクランブリング符号系列変更を増加するための手段をさらに備える、請求項１９に記載の装置。
【請求項２１】
信号の送信のための有効な符号を生成するために、前記ユーザデバイスに割り当てられたウォルシュ符号に、割り当てられたスクランブリング符号系列を乗じるための手段をさらに備える、請求項１７に記載の装置。
【請求項２２】
ユーザデバイス上で干渉を検出し、
送信タイムスロット内に少なくとも１度、前記ユーザデバイスに割り当てられたウォルシュ符号を乗算するために使用されるスクランブリング符号系列を変更する
ためのコンピュータ実行可能命令を格納したコンピュータ読取可能媒体。
【請求項２３】
前記タイムスロット内に少なくとも２つの異なるスクランブリング符号系列セットを使用するための命令をさらに備える、請求項２２に記載のコンピュータ読取可能媒体。
【請求項２４】
前記タイムスロット内に１６０個の１６チップセグメントをスクランブリングするために、２個から１６０個の異なるスクランブリング符号系列セットを使用するための命令をさらに備える、請求項２２に記載のコンピュータ読取可能媒体。
【請求項２５】
スクランブリング符号変更の後に、検出された干渉が予め定めたしきい値レベル未満に減少したかどうか判定するための命令をさらに備える、請求項２２に記載のコンピュータ読取可能媒体。
【請求項２６】
干渉が前記予め定めたしきい値レベル未満に減少していないと判定すると、前記タイムスロット内のスクランブリング符号変更の頻度を増加するための命令をさらに備える、請求項２５に記載のコンピュータ読取可能媒体。
【請求項２７】
通信環境内で無線フレームのタイムスロット内に有効符号ホッピングを実施するための命令を実行するプロセッサであって、前記命令が、
ユーザデバイス上で干渉を検出すること、および
送信タイムスロット内に少なくとも１度、前記ユーザデバイスに割り当てられたウォルシュ符号を乗算するために使用されるスクランブルリング符号系列を変更することを備える、プロセッサ。
【請求項２８】
前記タイムスロット内に少なくとも２つの異なるスクランブリング符号系列セットを使用するための命令をさらに備える、請求項２７に記載のプロセッサ。
【請求項２９】
１６０個の１６チップセグメントをスクランブリングするために、２個から１６０個の異なるスクランブリング符号系列セットを使用するための命令をさらに備える、請求項２７に記載のプロセッサ。
【請求項３０】
スクランブリング符号変更の後に、検出された干渉が予め定めたしきい値レベル未満に減少したかどうか判定するための命令をさらに備える、請求項２７に記載のプロセッサ。
【請求項３１】
干渉が前記予め定めたしきい値レベル未満に減少していないと判定すると、前記タイムスロット内のスクランブリング符号変更の頻度を増加するための命令をさらに備える、請求項３０に記載のプロセッサ。
【発明の詳細な説明】
【技術分野】
【０００１】
以下の記述は、一般には、無線通信に関し、より詳細には、ＴＤ−ＣＤＭＡ無線通信環境内で支配的干渉源によって引き起こされる妨害効果を減少させるために干渉変化を増加させることに関する。
【背景技術】
【０００２】
無線通信システムは、世界中の大多数の人々が通信するようになったことにより普及した手段になっている。無線通信装置は、消費者ニーズを満たし、携帯性および利便性を向上させるために、より小さくかつ強力になってきた。セルラー電話などの移動装置内の処理能力の増加によって、無線ネットワーク伝送システムへの需要の増加がもたらされてきた。こうしたシステムは一般に、それを介して通信するセルラー装置ほど容易には更新されない。移動装置の能力が拡大するにつれて、新しい改良された無線装置能力の完全な活用を容易にするやり方で、より古い無線ネットワークシステムを維持するのが困難になり得る。
【０００３】
より具体的には、周波数分割に基づく技術は一般に、スペクトルを一様な帯域幅の塊に分割することによってスペクトルを互いに異なるチャネルに分離し、たとえば、無線通信用に割り当てられた周波数帯の配分としてはそれぞれが音声会話を運び、またはディジタルサービスではディジタルデータを運び得る３０個のチャネルに分割され得る。それぞれのチャネルは、１度に１ユーザだけに割り当てられ得る。知られている１つの変形体は、総システム帯域幅を複数の直交サブバンドに有効に分割する直交周波数分割技術である。これらのサブバンドは、トーン、搬送波、副搬送波、ビンおよび／または周波数チャネルとも呼ばれる。それぞれのサブバンドは、データで変調することができる副搬送波に関連付けられる。時分割に基づく技術では、帯域は、連続するタイムスライスまたはタイムスロットへと時間的に分割される。チャネルの各ユーザには、情報をラウンドロビン式に送受信するためのタイムスライスが与えられる。たとえば、所与の任意の時ｔに、ユーザに、短いバーストの間のチャネルへのアクセスが与えられる。次いで、アクセスは、情報を送受信するための短い時間のバーストが与えられた別のユーザに切り換わる。「交代」のサイクルは継続し、最終的に各ユーザに、複数の送受信バーストが与えられる。
【０００４】
符号分割に基づく技術は一般に、ある範囲内でいつでも使用可能な複数の周波数にわたってデータを送信する。一般にデータはディジタル化され、使用可能な帯域幅にわたって拡散され、複数のユーザがチャネル上で重ね合わされてもよく、またそれぞれのユーザに一意の系列符号が割り当てられ得る。ユーザは、スペクトルの同じ広帯域の塊で送信することができ、各ユーザの信号が、それぞれの一意の拡散符号によって帯域幅全体に拡散される。この技術は共有されることができ、１つまたは複数のユーザが同時に送受信することができる。こうした共有は、スペクトル拡散ディジタル変調によって達成することができ、ユーザのビットストリームが符号化され、非常に広いチャネルにわたって擬似ランダムに拡散される。受信機は、特定のユーザのビットをコヒーレントに収集するために、関連する一意の系列符号を認識し、ランダム化を取り消すように設計される。
【０００５】
（たとえば周波数、時間および符号分割技術を使用する）一般的な無線通信網は、サービスエリアを提供する１つまたは複数の基地局と、サービスエリア内でデータを送受信することができる１つまたは複数の移動（たとえば無線）端末とを含む。一般的な基地局は、ブロードキャスト、マルチキャストおよび／またはユニキャストサービスのために複数のデータストリームを同時に送信することができ、１つのデータストリームが移動端末にとって独立した受信の対象となる。その基地局のサービスエリア内の移動端末は、複合ストリームによって運ばれた１つのデータストリーム、２つ以上のデータストリーム、またはすべてのデータストリームの受信に関与していることがある。同様に、移動端末は、基地局または別の移動端末にデータを送信することができる。基地局と移動端末の間、または移動端末間のこうした通信は、チャネルの変化および／または干渉電力の変化のせいで劣化することがある。たとえば、上述の変化は、基地局スケジューリング、電力制御、および／または１つまたは複数の移動端末のレート予測に影響を及ぼすことがある。
【０００６】
従来のＴＤＤ−ＣＤＭＡシステムは、１つまたは複数の無線フレームを通して静的なスクランブリング符号系列を使用し、それによって、それぞれ異なるセクタ内の類似の符号割当てを有するユーザ間の干渉が増加することになり得る。したがって、こうした無線通信システム内でスループットを向上させるシステムおよび／または方法が当技術分野で求められている。
【発明の開示】
【発明の概要】
【０００７】
下記は、こうした実施形態の基本的な理解を促すために、１つまたは複数の実施形態の簡略化された要約を提示している。この要約は、意図されたすべての実施形態を広く概観するものではなく、またすべての実施形態の重要なまたは重大な要素を識別するものでも、いずれかのまたはすべての実施形態の範囲を定めるものでもない。その唯一の目的は、以下に提示されるより詳細な説明の序文として、１つまたは複数の実施形態のいくつかの概念を簡略化された形で提示することである。
【０００８】
１つまたは複数の実施形態および対応するその開示によれば、無線通信環境内でシンボル単位の有効な符号ホッピングを実施することに関連して、様々な態様が述べられる。一態様によれば、干渉ダイバーシティを増加させ、被干渉側ユーザのセクタに近いセクタ内の支配的干渉源によって引き起こされる妨害効果を減少させるために、有効な符号（たとえばウォルシュ符号−スクランブリング符号組合せなど）が、伝送フレームのタイムスロット内に変更され、かつ／または再利用される。
【０００９】
１つまたは複数の実施形態によれば、無線通信環境内でユーザデバイス用の無線フレームタイムスロット内にスクランブリング符号を変更する方法は、ユーザデバイスの干渉を検出すること、および干渉の検出に応答して、ユーザデバイスに割り当てられたウォルシュ符号を乗算するために使用されるスクランブリング符号系列を送信時間スロット内に少なくとも１度変更することを備えることができる。この方法は、２５６０チップの長さとすることができ、また１６０個の１６チップセグメントに分割され得るタイムスロット内に少なくとも２つの異なるスクランブリング符号系列セットを使用することをさらに備えることができる。したがって、この方法によれば、所与のタイムスロット内に１６０個の１６チップセグメントをスクランブリングするために、２個から１６０個の異なるスクランブリング符号系列セットを使用することができる。さらに、干渉レベルを連続的に評価し、干渉が制御される（たとえば、予め定めたしきい値レベルに、またはそれより下のレベルに減少される）までタイムスロット内のスクランブリング符号変更の頻度を調整するために、フィードバックを使用することができる。
【００１０】
別の態様によれば、無線通信環境内の有効符号ホッピングを容易にする装置が、スクランブリング符号変更パターンを備える情報を格納するメモリと、メモリに結合されており、伝送フレームの間、タイムスロット当たり少なくとも１度、ユーザデバイスへのスクランブリング符号割当てを変更するプロセッサとを備えることができる。この装置は、干渉レベルが、予め定められたしきい値レベルをいつ超えるかを判定する干渉監視コンポーネントと、送信イベントの間、タイムスロット内のセグメントへの割当てのスクランブリング符号系列変更パターンを生成する再利用パターンジュネレータとをさらに備えることができる。このプロセッサは、干渉監視コンポーネントから受信された情報に少なくとも一部基づいてユーザデバイス用のタイムスロットに適用する適切なスクランブリング符号再利用パターンを判定することができる。さらに、メモリは、ユーザデバイス識別、ウォルシュ符号割当て、スクランブリング符号割当て、検出された干渉イベント、スクランブリング符号再利用パターンに関連する情報などを備える１つまたは複数のルックアップテーブルを格納することができる。
【００１１】
別の態様によれば、無線通信環境内のタイムスロット内のスクランブリング符号変更を容易にする装置が、別のセクタ内の類似の符号割当てを有する支配的ユーザデバイスによって引き起こされた干渉をユーザデバイス上で検出するための手段と、通信タイムスロットの間、ユーザデバイスに割り当てられたウォルシュ符号を乗算するために使用されるスクランブリング符号系列を変更するための手段とを備えることができる。スクランブリング符号系列を変更するための手段は、ユーザデバイスに割り当てられたスクランブリング符号系列をタイムスロット当たり少なくとも１度変更するために、少なくとも２つの異なるスクランブリング符号系列を使用することができる。この装置はさらに、スクランブリング符号系列の変更によって干渉が予め定めたしきい値レベル未満に減少されたかどうか判定するための手段と、干渉が予め定めたしきい値レベル未満に減少されていない場合は同じまたは後続のタイムスロット内のスクランブリング符号系列変更を増加させるための手段とを備えることができる。
【００１２】
別の態様による、ユーザデバイス上で干渉を検出し、ユーザデバイスに割り当てられたウォルシュ符号を乗算するために使用されるスクランブリング符号系列を送信時間スロット内に少なくとも１度変更するためのコンピュータ実行可能命令を格納するコンピュータ読取可能媒体。このコンピュータ読取可能媒体は、タイムスロット内に少なくとも２つの異なるスクランブリング符号系列のセットを使用するための命令と、検出された干渉がスクランブリング符号変更後に予め定めたしきい値レベル未満のレベルに減少されたかどうか判定するための命令とをさらに備えることができる。このコンピュータ読取可能媒体は、干渉が予め定めたしきい値レベル未満のレベルに減少されていないと判定すると、タイムスロット内のスクランブリング符号変更の周波数を増加させるための命令をさらに備えることができる。
【００１３】
別の態様によれば、通信環境内で無線フレームのタイムスロット内に有効符号ホッピングを実施するための命令を実行するプロセッサについて述べられ、この命令が、ユーザデバイス上で干渉を検出すること、およびユーザデバイスに割り当てられたウォルシュ符号を乗算するために使用されるスクランブリング符号系列を送信時間スロット内に少なくとも１度変更することを備える。このプロセッサは、タイムスロット内に少なくとも２つの異なるスクランブリング符号系列セットを使用し、検出された干渉がスクランブリング符号変更後に予め定めたしきい値レベル未満のレベルに減少されたかどうか判定し、干渉が予め定めたしきい値レベル未満のレベルに減少されていないと判定すると、タイムスロット内のスクランブリング符号変更の周波数を増加させるための命令をさらに備えることができる。
【００１４】
上記および関連の目的を達成するために、１つまたは複数の実施形態は、以下に完全に述べられ、また特許請求の範囲に具体的に指摘される諸特徴を備える。以下の説明および添付の図面は、１つまたは複数の実施形態の特定の例示的な態様を詳細に示している。しかし、これらの態様は、様々な実施形態の諸原理が使用され得る様々なやり方のほんのいくつかを示すものであり、述べられた諸実施形態は、こうしたすべての態様およびその等価物を含むことが意図されている。
【詳細な説明】
【００１５】
次に様々な実施形態について、図面を参照して述べる。図面では、同じ参照符号が、全体を通して同様の要素に言及するために使用されている。以下の記述では、説明のため、複数の具体的な詳細が、１つまたは複数の実施形態の完全な理解を促すために示されている。しかし、こうした実施形態は、これらの具体的な詳細なしに実施されてもよいことが明らかであり得る。他の例では、１つまたは複数の実施形態の説明を容易にするために、よく知られている構造および装置が、ブロック図の形で示されている。
【００１６】
本出願に使用される、用語「コンポーネント」、「システム」などは、コンピュータ関連のエンティティ、ハードウェア、ハードウェアとソフトウェアの組合せ、ソフトウェア、または実行中のソフトウェアを指すことが意図されている。たとえば、コンポーネントは、それだけに限らないが、プロセッサ上で実行されるプロセス、プロセッサ、オブジェクト、実行可能ファイル、実行スレッド、プログラムおよび／またはコンピュータであり得る。１つまたは複数のコンポーネントが、プロセスおよび／もしくは実行スレッド内に常駐してもよく、コンポーネントが、１つのコンピュータ上で集中化され、ならびに／または２つ以上のコンピュータ間で分散されてもよい。これらのコンポーネントは、様々なデータ構造を格納した様々なコンピュータ読取可能媒体から実行することもできる。コンポーネントは、たとえば１つまたは複数のデータパケットを含む信号（たとえば、ローカルシステム、分散システム内の別のコンピュータと、かつ／またはインターネットなどのネットワークを介して信号によって他のシステムと対話する、あるコンポーネントからのデータなど）に従ってローカルおよび／または遠隔プロセスによって通信してもよい。
【００１７】
さらに、本明細書では、加入者局に関連して、様々な実施形態について述べられる。加入者局は、システム、加入者装置、移動局、移動体、遠隔局、アクセスポイント、遠隔端末、アクセス端末、ユーザ端末、ユーザエージェント、ユーザデバイス、移動装置またはユーザ機器と呼ばれることもある。加入者局は、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：ｗｉｒｅｌｅｓｓ  ｌｏｃａｌ  ｌｏｏｐ）局、携帯情報端末（ＰＤＡ：ｐｅｒｓｏｎａｌ  ｄｉｇｉｔａｌ  ａｓｓｉｓｔａｎｔ）、無線接続能力を有する手持ち式装置、あるいは無線モデムに接続された他の処理装置であってもよい。
【００１８】
さらに、本明細書に述べられた様々な態様または特徴は、標準のプログラミングおよび／またはエンジニアリング技術を使用して方法、装置または製品として実施されてもよい。本明細書で使用される用語「製品」は、任意のコンピュータ読取可能装置、搬送波または媒体からアクセス可能なコンピュータプログラムを包含するものとする。たとえば、コンピュータ読取可能媒体は、それだけに限らないが、磁気記憶装置（たとえばハードディスク、フロッピー（登録商標）ディスク、磁気ストリップなど）、光ディスク（たとえばコンパクトディスク（ＣＤ：ｃｏｍｐａｃｔ  ｄｉｓｋ）、ディジタル多用途ディスク（ＤＶＤ：ｄｉｇｉｔａｌ  ｖｅｒｓａｔｉｌｅ  ｄｉｓｋ）など）、スマートカードおよびフラッシュメモリ装置（たとえばカード、スティック、キードライブなど）を含むことができる。
【００１９】
次に図１を参照すると、本明細書に提示された様々な実施形態による無線ネットワーク通信システム１００が示されている。ネットワーク１００は、無線信号を互いに、かつ／あるいは１つまたは複数の移動装置１０４に対して、受信、送信、中継（repeat）などを行う１つまたは複数のセクタ内の１つまたは複数の基地局１０２を備えることができる。それぞれの基地局１０２は、送信機チェーンと受信チェーンとを備えることができ、そのそれぞれは、当業者には理解され得るように、信号送受信に関連する複数のコンポーネント（たとえばプロセッサ、変調器、マルチプレクサ、復調器、デマルチプレクサ、アンテナなど）を備えることができる。移動装置１０４は、たとえば、セルラー電話、スマートフォン、ラップトップ、ハンドヘルド通信装置、ハンドヘルドコンピューティング装置、衛星無線、全地球測位システム、ＰＤＡ、および／または無線ネットワーク１００を介して通信するための他の任意の適切な装置であり得る。
【００２０】
ＴＤ−ＣＤＭＡは、順方向リンク（ＦＬ：ｆｏｒｗａｒｄ  ｌｉｎｋ）と逆方向リンク（ＲＬ：ｒｅｖｅｒｓｅ  ｌｉｎｋ）の両方で通信チャネルを符号化するために、直交可変拡散係数（ＯＶＳＦ：ｏｒｔｈｏｇｏｎａｌ  ｖａｒｉａｂｌｅ  ｓｐｒｅａｄｉｎｇ  ｆａｃｔｏｒ）符号とも呼ばれるウォルシュ符号を使用する。ウォルシュ符号は、当業者には理解されるように、個々の通信チャネルの一意の識別を容易にする直交符号である。ウォルシュ符号を使用して符号化された信号は一般に、信号を復号するのに同じウォルシュ符号を使用しない受信機によって、雑音と解釈される。従来の３ＧＰＰ  ＴＤＤ−ＣＤＭＡシステム（たとえば３．８４  Ｍｃｐｓの高チップレートを使用する）では、セル固有のスクランブル符号は、無線フレーム当たり（たとえば１０ｍｓごとに）１度変更される。別のセクタ内のユーザデバイスなど、支配的な干渉源が取り込まれるとき、無線フレームの間の干渉変化の欠如により妨害効果が生じることがある。さらに、スクランブリング符号は、こうした従来のフレーム間符号変更方式を使用する場合、割当て期間全体にわたって固定される。より大きい干渉変化の提供を容易にするために、本明細書で述べられるシステムおよび方法は、有効符号がフレーム内再利用方式に従って、スロット単位に、Ｎを整数としてＮシンボルごとに再利用され得るように、フレームおよび／またはタイムスロット内に短いスクランブリング符号−ＯＶＳＦ符号組合せ（たとえば「有効符号」）を変更することを容易にすることができる。このようにして、本明細書に述べられた様々な態様は、２つの無線フレームごとにスクランブリング符号を再利用するフレーム間変更方式、および支配的干渉源が存在するときにそれに関連する遅い平均化効果を使用する従来のシステムに付随する妨害効果を緩和することができる。
【００２１】
１つまたは複数の態様によれば、ＴＤ−ＣＤＭＡ通信システム内で、短いスクランブリング符号−ＯＶＳＦ符号組合せが、シンボル単位にホッピングされ得る。こうしたシンボルは、たとえば１６チップの持続時間を有することができ、符号組合せは、Ｎを整数として、Ｎシンボルごとに反復することができる。したがって、干渉は、従来のシステムで生じ得る妨害効果を克服するために、支配的干渉源が存在する状態で十分な干渉変化、したがって適切な平均化効果を保証するように、シンボル単位に変更することができる。
【００２２】
次に図２を参照すると、１つまたは複数の実施形態による、フレーム内再利用プロトコルによる有効符号を送信するために使用され得る多元接続無線通信システム２００が示されている。３セクタ基地局２０２は、複数のアンテナグループを含み、１つのアンテナグループがアンテナ２０４および２０６を含み、別のアンテナグループがアンテナ２０８および２１０を含み、第３のアンテナグループがアンテナ２１２および２１４を含む。図によれば、各アンテナグループについて、２つのアンテナだけが示されているが、各アンテナグループについて、より多くの、またはより少ないアンテナが使用されてもよい。移動装置２１６は、アンテナ２１２および２１４と通信しており、アンテナ２１２および２１４が順方向リンク２２０を介して移動装置２１６に情報を送信し、逆方向リンク２１８を介して移動装置２１６から情報を受信する。移動装置２２２は、アンテナ２０４および２０６と通信しており、アンテナ２０４および２０６が順方向リンク２２６を介して移動装置２２２に情報を送信し、逆方向リンク２２４を介して移動装置２２２から情報を受信する。
【００２３】
各アンテナ群、および／またはそれらが通信するように指定されたエリアは、基地局２０２のセクタとしばしば呼ばれる。一実施形態では、アンテナ群はそれぞれ、基地局２０２によってカバーされたエリアのセクタ内の移動装置と通信するように設計される。順方向リンク２２０および２２６を介した通信では、基地局２０２の送信アンテナは、それぞれ異なる移動装置２１６および２２２への順方向リンクのＳＮ比を向上させるために、ビームフォーミング技術を使用することができる。さらに、そのサービスエリア全体にランダムに散在した移動装置に送信するためにビームフォーミングを使用する基地局は、近隣セル／セクタ内の移動装置に対して、そのサービスエリア内のすべての移動装置に単一のアンテナを介して送信する基地局よりも小さい干渉を引き起こす。基地局は、端末と通信するために使用される固定局とすることができ、アクセスポイント、Ｎｏｄｅ  Ｂ、または他の何らかの用語で呼ばれることもある。移動装置は、移動局、ユーザ機器（ＵＥ：ｕｓｅｒ  ｅｑｕｉｐｍｅｎｔ）、無線通信装置、端末、アクセス端末、ユーザデバイスまたは他の何らかの用語と呼ばれることもある。
【００２４】
図３は、様々な態様による、静的スクランブルリング符号再利用方式を備える無線フレーム３００を示している。無線フレーム３００は、持続時間が約１０ｍｓであり、それぞれが約６６７マイクロ秒の持続時間である１５個のタイムスロット３０２を備える。それぞれのタイムスロット３０２は、タイムスロット当たり合計１６０個のセグメントについて１６チップセグメントに再分割される２５６０チップ３０４を備える。一連のスクランブリング符号Ｓ０からＳ１５が、各セグメント３０４の下に示されている。従来のシステムでは標準であるように、スクランブリング符号Ｓ０〜Ｓ１５の同じセットが、タイムスロット３０２内のすべてのセグメント３０４、および／または無線フレーム３００内のすべてのタイムスロットについて使用される。すなわち、従来の３ＧＰＰ  ＴＤＤ−ＣＤＭＡシステムでは、スクランブリング符号系列変更は一般に、無線フレーム当たり１度だけ行われる。これにより別のセクタの支配的干渉源が存在する場合、無線フレームの間の干渉源による干渉変化の欠如のせいで妨害効果がもたらされ得る。さらに、ユーザデバイスおよび支配的干渉源に割り当てられたウォルシュ符号は全割当て期間にわたって割り当てられたままであり、妨害効果が持続する。したがって、同じアップリンクまたはダウンリンクタイムスロット上のそれぞれ異なるセルまたはセクタ内の２つのユーザの有効な拡散符号（たとえばウォルシュ符号×短スクランブリング符号）間の相互相関により、大きい妨害が生じることがある。スクランブリング符号−ウォルシュ符号の組合せの変更は従来、処理制約および高いオーバーヘッドコストのために、１つの無線フレームごとに、または２つの無線フレームごとに１度だけ実施されている。
【００２５】
図４は、本明細書で述べられる様々な態様による、ＴＤＤ−ＣＤＭＡ無線通信環境内で有効な符号がシンボル単位にホッピングされかつ／または変更される、無線フレーム４００を示す図である。上述されたように支配的干渉源による有効符号の相互相関内によって引き起こされる妨害効果の緩和のため、スクランブリング符号が、フレーム内スクランブリング符号ホッピングを提供して相互相関を減少させるためにタイムスロット内で変更され得る。たとえば、無線フレーム４００は、１５個のタイムスロット４０２を備え、このタイムスロットはそれぞれ、１６０個の１６チップセグメント４０４を備え得る。スクランブリング符号が、割り当てられ、タイムスロット内に変更され得る。たとえば、第１のスクランブリング符号セットＳ０〜Ｓ１５は、第１のセグメントに割り当てることができ、第２のセグメントが送信されると、新しいスクランブリング符号セットＳ’０〜Ｓ’１５が割り当てられ得る。初期スクランブリング符号セットＳ０〜Ｓ１５は、基地局で受信機上の妨害の緩和のためのタイムスロット内の有効符号の変更を容易にするために、後続の符号セグメント内などで再割り当てされ得る。
【００２６】
関連する実施例によれば、スクランブリング符号は、第１のスクランブリング符号セットＳ０〜Ｓ１５を第１のセグメントに適用することができ、第２のスクランブリング符号セットＳ’０〜Ｓ’１５を第２のセグメントに適用することができ、第３スクランブリング符号セットＳ”０〜Ｓ”１５を第３のセグメントに適用することができるなどのように変更され得る。実際に、スクランブリング符号がタイムスロット４０２内で１から１６０の時間にホッピングされ得るように、タイムスロット内の有効符号の変更のためにスクランブリング符号のどんな置換も使用され得る。こうした変更を達成する能力は、処理速度、メモリ容量などの最近の進歩に部分的に帰することができる。さらに、再利用パターンは、タイムスロット内にスクランブリング符号系列が再利用され得るような、いずれかの所望のパターンであり得る。
【００２７】
他の実施例によれば、スクランブリング符号セットは、タイムスロット４０２内で４から１６の時間の間に変更することができ、こうした変更は、タイムスロットにわたって均等に間隔を置くことができ、あるいはランダムにまたは擬似ランダムに割り当てられ得る。たとえば、スクランブリング符号系列はセグメント０に割り当てることができ、その変更は、所望であれば、セグメント３９、セグメント７９、セグメント１１９および再びセグメント１５９で行われ得る。あるいは、スクランブリング符号系列変更は、セグメント２１、９８、１３１、あるいはタイムスロット４０２内の他のいずれかの適切なまたは所望の点で行われ得る。さらに、スクランブリング符号変更は、１つまたは複数の無線フレーム内のタイムスロットにわたる固定のスケジュールに従って実施される必要はないが、そうではなく、それぞれ異なるセクタ内の同じウォルシュ符号セットに割り当てられたユーザ間の相互相関を緩和するために、擬似ランダムホッピングスケジュールが使用され得る。
【００２８】
図５〜７を参照して述べる、ＵＭＴＳ  ＴＤＤ無線環境、ＯＦＤＭ環境、ＯＦＤＭＡ環境、ＣＤＭＡ環境、ＴＤＭＡ環境、ＴＤＤ環境、ＳＤＭＡ環境、または他の任意の適切な無線環境内のタイムスロット内のスクランブリング符号変更に関する方法。説明を簡単にするために、諸方法は、一連の動作として示され述べられているが、諸方法は、一部の動作が１つまたは複数の実施形態に従って、本明細書に示され述べられた動作とは異なる順序で、かつ／または他の動作と同時に行われ得るので、動作の順序によって限定されないことを理解されたい（understand and appreciate）。たとえば、方法は、別法として、状態遷移図など、相互に関連する一連の状態またはイベントとして表され得ることが当業者には理解されよう。さらに、示されたすべての動作が、１つまたは複数の実施形態に従って方法を実施するように求められ得るとは限らない。
【００２９】
図５は、１つまたは複数の態様による、それぞれ異なるセクタ内のユーザに割り当てられた有効な符号の相互相関に起因する妨害を緩和するための方法５００を示す図である。５０２で、有効な符号（ウォルシュ符号×スクランブリング符号の積）を変更するためのホッピング技術が使用され得る。こうした技術は、たとえば、１つのユーザデバイスが支配的干渉源である、それぞれ異なるセクタ内のユーザデバイスに割り当てられた符号間の相互相関を緩和するために時間フレーム全体を通して周期的にスクランブリング符号のセットを変更することであり得る。５０４で、こうしたスクランブリング符号は、タイムフレーム内に、Ｎを整数としてＮ個のシンボル、または１６チップセグメントごとに変更することができる。たとえば、第１のスクランブリング符号セットは第１のセグメント用に使用することができ、第２のスクランブリング符号セットは、タイムスロット内のある後続のセグメントで、第１のスクランブリング符号セットの代わりに用いることができる。
【００３０】
この実施例についてさらに述べるために、一般的な無線フレームが１５個のタイムスロットを備え、そのそれぞれが、１６０個の１６チップ長のセグメントをさらに備える。したがって、干渉ダイバーシティを増加させるために、タイムスロット内で２個から１６０個の異なるスクランブリング符号系列が、有効な符号組合せ（たとえば、ウォルシュ符号にスクランブリング符号を乗じたもの）を変更するために使用され得る。一態様によれば、基地局受信機上の妨害を緩和するために、タイムスロットごとに２つのスクランブリング符号セットを使用することができ、１つまたは複数のセグメントごとに交互に用いることができる。一態様によれば、タイムフレーム内に、１６個のスクランブリング符号セットが、その中の有効符号を１０セグメントなどごとに変更するために使用され得る。したがって、それぞれ異なるかつ／または再利用されるスクランブリング符号セットの任意の置換を使用して、干渉ダイバーシティを向上させ、別のセクタ内のユーザと同じ有効符号が割り当てられた第１のセクタ内の支配的干渉によって引き起こされる妨害を緩和することができることが理解されよう。
【００３１】
図６は、様々な態様による、干渉を動的に評価し、干渉緩和のために適切なフレーム間スクランブリング符号再利用パターンを適用するための方法６００を示している。６０２で、支配的干渉源の存在および／または大きさが評価され得る。たとえば、こうした評価は、実際のかつ／または潜在的な干渉レベルを判定するために、同じ有効符号が割り当てられ、または同じウォルシュ符号が割り当てられた複数の装置に関し得る。６０４で、それぞれ異なるセクタ内で重複する有効符号が割り当てられたユーザデバイス間の有効符号の相互相関を緩和するために、適切なスクランブリング符号変更パターンが識別され得る。６０６で、それぞれ異なるセクタ内の重複して割り当てられたユーザ間の符号の相互相関による妨害を緩和するために、識別されたスクランブリング符号変更パターンが使用され得る。
【００３２】
たとえば、６０２でＭ個の干渉源（たとえば様々なセクタ内の重複して割り当てられたユーザ）が識別される場合、Ｎ個のスクランブリング符号セットを使用して、タイムフレーム内にスクランブリング符号、したがって有効符号を変更するための頻度を増加させることができる。このように、無線フレームのタイムスロット内の２個から１６０個のセグメントが、ウォルシュ符号の再割当てを必要とせずに異なるやり方で符号化され得る。さらに、ユーザデバイスおよび／または基地局は、本明細書に述べられた様々な方法による有効符号変更の実施を容易にするために、スクランブリング符号系列セット、それに関連するフックアップテーブル、ユーザデバイス識別、ウォルシュ符号割当てなどに関する情報を格納するデータストアを備えることができる。
【００３３】
図７は、１つまたは複数の態様による、無線フレームのタイムスロット内に動的に干渉ダイバーシティを増加させ、有効な符号を変更することを容易にするために干渉レベルフィードバック情報を使用するための方法７００を示している。７０２で、ユーザデバイスおよび干渉側デバイスが送信している送信先の受信機で妨害効果を引き起こし得る高い相互相関が有効符号間に存在するように、ユーザデバイスに類似の有効符号割当てを有する１つまたは複数の支配的干渉源を検出するために、干渉レベルが評価され得る。妨害効果を防止するために、７０４で、スクランブリング符号系列再利用パターンが識別され得る。７０６で、干渉が無線フレーム全体に干渉が伝わらないことを保証するのに送信タイムスロット内にスクランブリング符号セットを変更するために、再利用パターンが、被干渉側ユーザデバイス内で実施され得る。たとえば、再利用パターンは、被干渉側デバイスと干渉側デバイスに割り当てられた有効符号間の相互相関を減少させるために、単一の１６０セグメントタイムスロット内で、または無線フレーム内の複数のタイムフレーム間に繰り返され得る８個のスクランブリング符号セットを備えることができる。実際に、２個から１６０個の任意の数のセグメントにそれぞれ異なるスクランブリング符号系列を割り当てることができ、タイムスロット内に有効符号を変更するために、新しいおよび再利用のスクランブリング符合セットの任意の置換を使用することができる。
【００３４】
７０８で、妨害効果が十分に減少されたかどうか判定され得る。こうした判定は、たとえばそれを超えると干渉が許容不可能と見なされる予め定めた干渉許容可能しきい値レベルに関連して行うことができる。妨害が制御されない（たとえば干渉レベルが依然として許容可能しきい値レベルを超える）場合は、この方法は、被干渉側デバイスと干渉側デバイスの間の符号化された信号の相互相関をさらに減少させるために、より強力なスクランブリング符号ホッピングパターン（たとえばタイムスロット当たり１６の符号変更、タイムスロット当たり２４の変更、または他の任意の適切な再利用パターン）を識別するために７０７に戻ることができる。干渉がうまく減少された場合は、方法７００は、終了し、かつ／または干渉の監視継続、および必要に応じたその緩和を容易にするために連続して繰り返され得る。
【００３５】
本明細書に述べられる１つまたは複数の実施形態および／または方法によれば、適切なスクランブリング符号再利用方式、タイムフレーム内の符号周波数の変更などに関して推論が行われ得る。本明細書では、用語「推論する」または「推論」は一般に、イベントおよび／もしくはデータを介して捕捉された１組の観察から、システム、環境ならびに／またはユーザの状態について論理的に考えあるいは推論するプロセスに言及する。推論は、たとえば、特定のコンテキストまたはアクションを識別するために使用することができ、あるいは状態に関する確率分布を生成することができる。推論は、確率論的であり、すなわちデータおよびイベントの考慮に基づく、関心のある状態に関する確率分布の計算であり得る。推論は、１組のイベントおよび／またはデータからより高いレベルのイベントを構成するために使用される技術に言及することもできる。こうした推論は、イベントが時間的に接近して相関しているかどうか、またイベントならびにデータが１つのイベントおよびデータソースから生じているか、それとも複数のイベントおよびデータソースから生じているかにかかわらず、１組の観察されたイベント、および／もしくは格納されたイベントデータからの新しいイベントまたはアクションの構築をもたらす。
【００３６】
一実施例によれば、上記に提示された１つまたは複数の方法は、被干渉側ユーザデバイスの干渉ダイバーシティを増加させ、別のセクタ内の同様に割り当てられた干渉側デバイスからの干渉を緩和するために、タイムスロット内に実施する複数のスクランブリング符号セット変更に関して推論を行うことを含み得る。こうした推論は、たとえば、支配的干渉源によって引き起こされた干渉の大きさ、近隣セクタ内の干渉側デバイスの数などに少なくとも一部基づき得る。たとえば、単一の基地局によってサービスされる３セクタサービスエリアでは、同じウォルシュ符号系列が割り当てられており、３つのすべての装置がそれによって類似また同一の有効符号を有するように乗算された類似または同一のスクランブリング符号を有している３つのユーザデバイスがあり得る。ユーザデバイスのうちの２つが第３のユーザデバイスに干渉する場合は、より強力なスクランブリング符号変更パターン（たとえば変更の周波数）が、１つの支配的干渉源だけが存在するシナリオに適用され得るスクランブリング符号再利用パターンに比べて、十分であるように推論され得る。こうした推論によって、検出された支配的干渉源への反応の期間を最小限に抑えることを容易にすることができ、それは、ＴＤ−ＣＤＭＡ無線通信網を介して通信するときにより堅牢なユーザ体験を提供することを容易にし得る。
【００３７】
別の実施例によれば、推論は、送信タイムスロット内でスクランブリング符号系列を再利用するかどうかに関して行われ得る。たとえば、一部の場合では、第１のスクランブリング符号系列セットは、第１の複数のタイムスロットセグメントに割り当てることができ、ある後続のセグメントで、第２のスクランブリング符号系列セットによって置き換えられ得る。次いで、被干渉側ユーザデバイスと別のセクタ内の干渉側ユーザデバイスの間の有効符号の相互相関を緩和するための被干渉側ユーザデバイスへの有効符号割当ての変更を容易にするために、さらなる後続のあるセグメントで、第１のセットは、第２のセットに取って代わるように代用されて、変更の順番に戻り得る。しかし、被干渉側ユーザデバイスが非常に大きい干渉を受ける場合、こうした系列が干渉の一因となり得る（たとえば、こうした系列は、割り当てられたウォルシュ符号セットで乗算される場合、支配的干渉の有効符号への高い相互相関を有する有効符号をもたらす）ので、初期スクランブリング符号系列セット（たとえば干渉検出時に使用されている符号セット）を除外することが望ましいことがある。したがって、候補の変更セットのリストから初期スクランブリング符号系列セットを取り除くことが干渉ダイバーシティの向上に有益であると推論することができ、こうしたスクランブリング符号セットは、再利用パターンから取り除かれ得る。上記実施例は本質的に例示的なものであり、行われ得る推論の数、あるいは本明細書で述べられるシステムおよび／または方法の様々な態様に関連して推論が行われ得るやり方を限定するものではないことが理解されよう。
【００３８】
図８は、本明細書に述べられる１つまたは複数の実施形態による、ＴＤＤ−ＣＤＭＡ無線通信環境内のタイムスロット内の有効符号ホッピングを容易にするユーザデバイス８００の図である。ユーザデバイス８００は、たとえば受信アンテナから信号を受信する受信機８０２を備え、受信された信号に対して一般的なアクション（たとえばフィルタ、増幅、ダウンコンバートなど）を実施し、調節された信号をディジタル化してサンプルを取得する。復調器８０４は、各シンボル期間の間、受信シンボルを取得し、またチャネル推定などのために受信パイロットシンボルをプロセッサ８０６に提供することができる。プロセッサ８０６はさらに、プロセッサ８０６によって生成された情報の変調および送信を容易にする変調器８１４および送信機８０６に動作可能に関連付けられ得る。
【００３９】
プロセッサ８０６は、受信機コンポーネント８０２によって受信された情報を解析し、かつ／または送信機８１６による送信のための情報を生成することに専用のプロセッサ、ユーザデバイス８００の１つまたは複数のコンポーネントを制御するプロセッサ、ならびに／あるいは受信機８０２によって受信された情報を解析し、送信機８１６による送信のための情報を生成することと、ユーザデバイス８００の１つまたは複数のコンポーネントを制御することの両方を行うプロセッサであり得る。
【００４０】
ユーザデバイス８００は、プロセッサ８０６に動作可能に結合されており、ユーザデバイス８００に割り当てられたウォルシュ符号、スクランブリング符号系列セット、有効符号変更パターン、スクランブリング符号系列再利用プロトコルに関する情報、あるいは本明細書に述べられるタイムスロット内の有効符号ホッピングに関する他の適切な情報を格納するメモリ８０８をさらに備えることができる。たとえば、メモリは、ウォルシュ符号割当て、１つまたは複数の無線フレームおよび／あるいはタイムスロット内のスクランブリング符号割当てに関する情報などを備える１つまたは複数のルックアップテーブルを格納することができる。プロセッサ８０６は、必要なときに干渉ダイバーシティを増加させるための適切な再利用パターンの将来の選択を容易にするために、ある期間にわたる干渉レベルに基づくスクランブリング符号再利用パターンの成功に関して推論することができるインテリジェントコンポーネント（図示せず）を備えることもできる。
【００４１】
本明細書で述べられたデータストア（たとえばメモリ）コンポーネントは、揮発性メモリであることも、不揮発性メモリであることもあり、あるいは揮発性と不揮発性の両方のメモリも含み得ることが理解されよう。限定のためではなく、例を挙げると、不揮発性メモリは、読取り専用メモリ（ＲＯＭ：ｒｅａｄ  ｏｎｌｙ  ｍｅｍｏｒｙ）、プログラマブルＲＯＭ（ＰＲＯＭ：ｐｒｏｇｒａｍｍａｂｌｅ  ＲＯＭ）、電気的プログラマブルＲＯＭ（ＥＰＲＯＭ：ｅｌｅｃｔｒｉｃａｌｌｙ  ｐｒｏｇｒａｍｍａｂｌｅ  ＲＯＭ）、電気的消去可能ＲＯＭ（ＥＥＰＲＯＭ：ｅｌｅｃｔｒｉｃａｌｌｙ  ｅｒａｓａｂｌｅ  ＲＯＭ）またはフラッシュメモリを含むことができる。揮発性メモリは、外部キャッシュメモリとして動作するランダムアクセスメモリ（ＲＡＭ：ｒａｎｄｏｍ  ａｃｃｅｓｓ  ｍｅｍｏｒｙ）を含むことができる。限定のためではなく、例を挙げると、ＲＡＭは、同期ＲＡＭ（ＳＲＡＭ：ｓｙｎｃｈｒｏｎｏｕｓ  ＲＡＭ）、ダイナミックＲＡＭ（ＤＲＡＭ：ｄｙｎａｍｉｃ  ＲＡＭ）、同期ＤＲＡＭ（ＳＤＲＡＭ：ｓｙｎｃｈｒｏｎｏｕｓ  ＤＲＡＭ）、ダブルデータレートＳＤＲＡＭ（ＤＤＲ  ＳＤＲＡＭ：ｄｏｕｂｌｅ  ｄａｔａ  ｒａｔｅ  ＳＤＲＡＭ）、拡張ＳＤＲＡＭ（ＥＳＤＲＡＭ：ｅｎｈａｎｃｅｄ  ＳＤＲＡＭ）、Ｓｙｎｃｈｌｉｎｋ  ＤＲＡＭ（ＳＬＤＲＡＭ：Ｓｙｎｃｈｌｉｎｋ  ＤＲＡＭ）およびダイレクトラムバスＲＡＭ（ＤＲＲＡＭ：ｄｉｒｅｃｔ  Ｒａｍｂｕｓ  ＲＡＭ）など、多くの形で入手可能である。主題のシステムおよび方法のメモリ８０８は、限定ではないが、これらのおよび他の任意の適切なタイプのメモリを備えることが意図される。
【００４２】
プロセッサ８０６は、メモリ８０８に格納された情報、および／もしくはプロセッサ８０６によって受信され処理された情報に少なくとも一部基づいて支配的干渉源の検出ならびに／または干渉レベルの評価を容易にすることができる干渉モニタ８１０にさらに結合される。干渉モニタ８１０は、プロセッサ８０６にやはり結合されることができ、またユーザデバイス８００が干渉を受けているという表示に基づいて干渉ダイバーシティを増加させるためにスクランブリング符号系列ホッピングプロトコルを開始することができる再利用パターンジュネレータ８１２に動作可能に結合されることができる。したがって、再利用パターンジュネレータ８１２は、ＵＭＴＳ  ＴＤＤ通信環境内の有効符号（たとえばウォルシュ符号×スクランブリング符号）の変更を可能にするために、送信タイムフレーム内のそれぞれ異なるセグメントに割り当てるためのスクランブリング符号系列セットの複数の置換および／または組合せの提供を容易にすることができる。
【００４３】
図９は、本明細書に述べられた１つまたは複数の態様による、ＴＤＤ−ＣＤＭＡ無線通信環境内の支配的干渉源による妨害を緩和するためのタイムスロット内の有効符号変更の実施を容易にするシステム９００の図である。システム９００は、送信アンテナナ９０６および受信アンテナ９０８を介して１つまたは複数のユーザデバイス９０４と通信する基地局９０２を備えるが、様々な態様に関連して２つ以上の送信および／または受信アンテナが使用され得る。基地局９０２は、受信アンテナ９０８からの情報を受信し、また受信情報を復調する復調器９１２に動作可能に関連付けられる受信機９１０を備える。復調されたシンボルは、図８に関して上述されたプロセッサに類似しており、メモリ９１６に結合されているプロセッサ９１４によって解析することができ、このメモリは、ユーザデバイス９０４、それに割り当てられた有効符号、スクランブリング符号系列再利用パターン、干渉レベルに関する情報、上記内容に関する情報を備えるルックアップテーブル、および／または本明細書に述べられたタイムスロット内のスクランブリング符号−ウォルシュ符号変更に関する他の任意の適切な情報を格納する。
【００４４】
プロセッサ９１４は、基地局９０２内の変調器９２２および／または送信機９０４が通信信号を適切に変調し、送信アンテナ９０６を介してユーザデバイス９０４に送信する助けとするために、基地局９０２によってサービスされるすべての装置９０４上の干渉レベルを監視することができる干渉モニタ９１８にさらに結合される。基地局９０２は、所与のユーザデバイス９４０と通信するパターンに従って、送信タイムスロット内にスクランブリング符号系列を変更するスクランブリング符号再利用パターンジュネレータ９２０をさらに備える。こうした情報に基づいて、基地局９０２は、送信の所与の時点で、その関連するスクランブリング符号を使用してユーザデバイス９０４に送信することができる。さらに、干渉モニタ９１８によって許容不可能な干渉を検出すると、基地局９０２は、新しい、より適切なスクランブリング符号パターンを使用するために、ユーザデバイスの符号化方式を新しくするためのリフレッシュ信号を被干渉ユーザデバイスにブロードキャストすることができる。このようにして、タイムスロット内のスクランブリング符号変更が、基地局９０２、および／または図８に関して述べられたユーザデバイスに類似し得るユーザデバイス９０４によって実施され得る。
【００４５】
図１０は、例示的な無線通信システム１０００を示している。無線通信システム１０００は、簡潔にするために、１つの基地局、および１つの端末を示している。しかし、このシステムは、２つ以上の基地局および／または２つ以上の端末を含むことができ、追加の基地局および／または端末が、以下に述べられた例示的な基地局および端末に実質的に類似していても、それとは異なっていてもよいことを理解されたい。さらに、基地局および／または端末は、その間の無線通信を容易にするために、本明細書で述べられたシステム（図１〜４および図８〜９）および／または方法（図５〜７）を使用し得ることを理解されたい。
【００４６】
次に図１０を参照すると、ダウンリンク上のアクセスポイント１００５で、送信（ＴＸ）データプロセッサ１０１０が、トラヒックデータを受信し、フォーマットし、符号化し、インタリーブし、変調し（またはシンボルマッピングし）、変調シンボル（「データシンボル」）を提供する。シンボル変調器１０１５は、データシンボルおよびパイロットシンボルを受信し処理し、シンボルのストリームを提供する。シンボル変調器１０２０は、データおよびパイロットシンボルを多重化し、送信機ユニット（ＴＭＴＲ：ｔｒａｎｓｍｉｔｔｅｒ  ｕｎｉｔ）１０２０にそれを提供する。それぞれの送信シンボルは、データシンボル、パイロットシンボル、またはゼロの信号値であり得る。パイロットシンボルは、各シンボル期間に連続的に送信されてもよい。パイロットシンボルは、周波数分割多重化（ＦＤＭ：ｆｒｅｑｕｅｎｃｙ  ｄｉｖｉｓｉｏｎ  ｍｕｌｔｉｐｌｅｘｅｄ）、直交周波数分割多重化（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｅｄ）、時分割多重化（ＴＤＭ：ｔｉｍｅ  ｄｉｖｉｓｉｏｎ  ｍｕｌｔｉｐｌｅｘｅｄ）、周波数分割多重化（ＦＤＭ：ｆｒｅｑｕｅｎｃｙ  ｄｉｖｉｓｉｏｎ  ｍｕｌｔｉｐｌｅｘｅｄ）または符号分割多重化（ＣＤＭ：ｃｏｄｅ  ｄｉｖｉｓｉｏｎ  ｍｕｌｔｉｐｌｅｘｅｄ）され得る。
【００４７】
ＴＭＴＲ  １０２０は、シンボルのストリームを受信し、１つまたは複数のアナログ信号に変換し、無線チャネルを介した送信に適したダウンリンク信号の生成のためにアナログ信号をさらに調節する（たとえば増幅し、フィルタリングし、周波数アップコンバートする）。次いで、ダウンリンク信号は、アンテナ１０２５を介して端末に送信される。端末１０３０上で、アンテナ１０３５は、ダウンリンク信号を受信し、受信された信号を受信機ユニット（ＲＣＶＲ：ｒｅｃｅｉｖｅｒ  ｕｎｉｔ）１０４０に提供する。受信機ユニット１０４０は、サンプル取得のために、受信された信号を調節し、（たとえばフィルタリングし、増幅し、周波数ダウンコンバートする）その調節した信号をディジタル化する。シンボル復調器１０４５は、受信パイロットシンボルを復調し、チャネル推定のためにプロセッサ１０５０に提供する。シンボル復調器１０４５はさらに、プロセッサ１０５０から、ダウンリンクの周波数レスポンス推定を受信し、受信データシンボルに対してデータ復調を実施して、（送信データシンボルの推定である）データシンボル推定を取得し、データシンボル推定を、送信トラヒックデータの回復のためにデータシンボル推定を復調し（すなわちシンボル逆マッピングし）、ディインタリーブし、復号するＲＸデータプロセッサ１０５５に提供する。シンボル復調器１０４５およびＲＸデータ処理装置１０５５による処理は、アクセスポイント１００５上のそれぞれシンボル変調器１０１５およびＴＸデータプロセッサ１０１０による処理と相補的である。
【００４８】
アップリンク上で、ＴＸデータプロセッサ１０６０は、トラヒックデータを処理し、データシンボルを提供する。シンボル変調器１０６５は、データシンボルをパイロットシンボルと共に受信し、多重化し、変調を実施し、シンボルのストリームを提供する。次いで、送信機ユニット１０７０は、アンテナ１０３５によってアクセスポイント１００５に送信されるアップリング信号を生成するために、シンボルのストリームを受信し処理する。
【００４９】
アクセスポイント１００５上で、端末１０３０からのアップリンク信号が、アンテナ１０２５によって受信され、サンプル取得のために受信機ユニット１０７５によって処理される。次いで、シンボル復調器１０８０は、サンプルを処理し、受信パイロットシンボル、およびアップリンクのデータシンボル推定を提供する。ＲＸデータ処理装置１０８５は、端末１０３０によって送信されたトラヒックデータを回復するために、データシンボル推定を処理する。プロセッサ１０９０は、アップリンク上で送信する各アクティブ端末のチャネル推定を実施する。
【００５０】
プロセッサ１０９０および１０５０は、それぞれアクセスポイント１００５および端末１０３０に操作を指示する（たとえば制御し、調整し、管理する）。それぞれのプロセッサ１０９０および１０５０は、プログラム符号およびデータを格納するメモリユニット（図示せず）に関連付けられ得る。プロセッサ１０９０および１０５０は、それぞれアップリンクおよびダウンリンクの周波数およびインパルス応答の推定を導出する計算を実施することもできる。
【００５１】
多元接続システム（ＦＤＭＡ、ＯＦＤＭＡ、ＣＤＭＡ、ＴＤＭＡなど）では、複数の端末が、アップリンク上で同時に送信することができる。こうしたシステムでは、パイロットサブバンドが、異なる端末間で共有され得る。チャネル推定技術は、各端末のパイロットサブバンドが動作帯域全体（恐らくバンドエッジを除く）にわたる場合に使用され得る。こうしたパイロットサブバンド構造は、各端末の周波数ダイバーシティを得るのに望ましい。本明細書に述べられた技術は、様々な手段によって実装されてもよい。たとえば、これらの技術は、ハードウェア、ソフトウェアまたはその組合せで実装されてもよい。ハードウェア実装では、チャネル推定に使用される処理装置は、１つまたは複数の特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、ディジタル信号プロセッサ（ＤＳＰ：ｄｉｇｉｔａｌ  ｓｉｇｎａｌ  ｐｒｏｃｅｓｓｏｒ）、ディジタル信号処理装置（ＤＳＰＤ：ｄｉｇｉｔａｌ  ｓｉｇｎａｌ  ｐｒｏｃｅｓｓｉｎｇ  ｄｅｖｉｃｅ）、プログラマブル論理装置（ＰＬＤ：ｐｒｏｇｒａｍｍａｂｌｅ  ｌｏｇｉｃ  ｄｅｖｉｃｅ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサ、本明細書に述べられた機能を実施するように設計された他の電子ユニット、またはその組合せで実装されてもよい。ソフトウェアでは、実装は、本明細書に述べられた機能を実施するモジュール（手順、関数など）を介して行われてもよい。ソフトウェアコードは、メモリユニット内に格納され、プロセッサ１０９０および１０５０によって実行されてもよい。
【００５２】
ソフトウェア実装では、本明細書に述べられた技術は、本明細書に述べられた機能を実施するモジュール（手順、関数など）で実装されてもよい。ソフトウェアコードは、メモリユニット内に格納され、プロセッサによって実行されてもよい。メモリユニットは、プロセッサの内部で実装されても、プロセッサの外部で実装されてもよく、その場合、当技術分野で知られている様々な手段を介してプロセッサに通信可能に結合され得る。
【００５３】
上記で述べられた内容は、１つまたは複数の実施形態の例を含む。当然ながら、上記の諸実施形態を説明するために構成要素または方法の考え得るあらゆる組合せについて説明することはできないが、様々な実施形態のさらなる多くの組合せおよび置換が可能であることが当業者には認識されよう。したがって、述べられた諸実施形態は、添付の特許請求の範囲の精神および範囲内に含まれるすべてのこうした変更形態、修正形態および変形形態を包含することが意図されている。さらに、用語「含む」が詳細な説明または特許請求の範囲において使用される限りでは、こうした用語は、用語「備える」が特許請求の範囲で移行語として使用されるときに「備える」が解釈されるのと同様に包含的なものである。
【図面の簡単な説明】
【００５４】
【図１】本明細書に提示された様々な実施形態による無線ネットワーク通信システムを示す図。
【図２】１つまたは複数の実施形態による、フレーム内再利用プロトコルに従って有効符号を送信するために使用され得る多元接続無線通信システムを示す図。
【図３】様々な態様による、静的スクランブリング符号再利用方式を備える無線フレームを示す図。
【図４】本明細書に述べられた様々な態様による、ＴＤＤ−ＣＤＭＡ無線通信環境内で有効な符号がシンボル単位にホッピングされ、かつ／または変更される無線フレームを示す図。
【図５】１つまたは複数の態様による、それぞれ異なるセクタ内のユーザに割り当てられた有効な符号の相互相関による妨害を緩和するための方法を示す図。
【図６】様々な態様による、干渉を動的に評価し、干渉を緩和するために適切なフレーム間スクランブリング符号再利用パターンを適用するための方法を示す図。
【図７】１つまたは複数の態様による、無線フレームのタイムスロット内の干渉ダイバーシティの動的増加および有効符号の変更を容易にするための干渉レベルフィードバック情報を使用するための方法を示す図。
【図８】本明細書に述べられた１つまたは複数の実施形態による、ＴＤＤ−ＣＤＭＡ無線通信環境内のタイムスロット内の有効符号のホッピングを容易にするユーザデバイスを示す図。
【図９】本明細書に述べられた１つまたは複数の態様による、ＴＤＤ−ＣＤＭＡ無線通信環境内の支配的干渉源による妨害を緩和するためのタイムスロット内の有効な符号の変更実施を容易にするシステムを示す図。
【図１０】本明細書に述べられた様々なシステムおよび方法と併せて使用され得る無線ネットワーク環境を示す図。
【図１】
2009514458.tif 000003
【図２】
2009514458.tif 000004
【図３】
2009514458.tif 000005
【図４】
2009514458.tif 000006
【図５】
2009514458.tif 000007
【図６】
2009514458.tif 000008
【図７】
2009514458.tif 000009
【図８】
2009514458.tif 000010
【図９】
2009514458.tif 000011
【図１０】
2009514458.tif 000012
【国際調査報告】
2009514458.tif 000013
2009514458.tif 000014